(57)【要約】【課題】  一部タイルが剥がれ落ちたり、損傷したりしたタイル張り外壁を、周囲のタイルと同じ状態のタイルを使って補修でき、外観を損なうことなく、低コストで施工できるようにする。【解決手段】  タイル張り外壁の建物の外部から直接見えない部分において、タイル目地２を中心にして、タイルの短辺幅より径大で、タイルの厚さより深い開口を設けるとともに、タイル目地２に埋め込まれているモルタル等よりなる接着材を除去して溝４を形成する。その後、径が前記タイルの短辺幅より大きい回転切削刃を前記開口から挿入し、回転軸を前記溝４に沿って移動させることにより、前記タイル下側にある接着材を除去してタイルを壁本体から引き剥がす。そして、引き剥がしたタイルを用いて、建物の外部から直接見える部分のタイル張り外壁の、タイルが剥がれ落ちた部分や破損した部分の補修を行う。【選択図】        図１
2005282309.tif 000002
【特許請求の範囲】
【請求項１】
タイル張り外壁の外部から直接見えない部分において、タイル目地を中心にして、タイルの短辺幅より径大で、タイルの厚さより深い開口を設ける工程と、タイル目地に充填されている接着材を除去して溝を形成する工程と、回転軸が前記溝の幅より小さく、径が前記タイルの短辺幅より大きい回転切削刃を前記開口から挿入し、回転軸を前記溝に沿って移動させることにより、前記タイル下側にある接着材を除去してタイルを壁本体から引き剥がす工程と、引き剥がしたタイルを用いて、タイル張り外壁の外部から直接見える、タイルが剥がれ落ちた部分や破損した部分の補修を行う工程とを具えたことを特徴とするタイル張り外壁の補修方法。
【請求項２】
タイル張り外壁の外部から直接見えない部分において、タイル目地を中心にして、タイルの短辺幅より径大で、タイルの厚さより深い開口を設ける工程と、回転軸に細径の切削刃と大径の切削刃とを、後者が先端側に位置するように取り付けた回転切削刃を、前記開口から大径の切削刃が完全に入り込むまで挿入し、回転軸を前記タイル目地に沿って移動させることにより、タイル目地及び前記タイル下側にある接着材を除去してタイルを壁本体から引き剥がす工程と、引き剥がしたタイルを用いて、タイル張り外壁の外部から直接見える、タイルが剥がれ落ちた部分や破損した部分の補修を行う工程とを具えたことを特徴とするタイル張り外壁の補修方法。
【発明の詳細な説明】
【技術分野】
【０００１】
本発明は、建物の外壁等に適用されたタイル壁面において、剥がれ落ちたり、ひび等が入って損傷したりしたタイルを補修するためのタイル張り外壁の補修方法に関するものである。
【背景技術】
【０００２】
従来から、外壁にタイルを張り付けた建物が多く見られるが、そのようなタイル壁面は、年月を経るに従って一部のタイルが剥がれ落ちたり、ひび割れしたりして補修が必要になる。また、外壁の補修に限らず建物の補修のために建物周囲に足場を組む場合に、足場が倒れないようにアンカーボルトを建物外壁に打ち込む必要があるが、その際に外壁に張り付けられているタイルを割ってしまうことがある。
【０００３】
そのような場合、建物の外観を良好に保つため、剥がれ落ちた部分にタイルを貼り付けたり、損傷したタイルを張り替えたりするという補修が必要となるが、従来、そのような補修方法としては、新築時に予備のタイルを保管しておき、タイルが損傷等したときは、保管しておいたタイルを使って補修するという方法があった。また、保管タイルがない場合は、色，形が似かよったタイルを使って補修するか、タイルメーカに特別注文して同じタイルを作製し、それを使って補修するかしていた。
【０００４】
また、特許文献１に示されるように、タイルを全面的に剥離して新しいタイルに張り替えることも行われていた。
【特許文献１】特開昭６０−５９２６２号公報
【発明の開示】
【発明が解決しようとする課題】
【０００５】
しかしながら、上記従来の補修方法の内、新築時に予備のタイルを保管しておく方法は、長期間にわたって保管管理が必要になる上、使っているタイルがかなり古くなった場合等、場合によっては、周りのタイルが径年劣化するため、張り替えたタイルが目立ってしまい、外観が損なわれるという問題点があった。また、色，形が似かよったタイルを使う方法も、張り替えたタイルがさらに目立ってしまい、外観が損なわれるという問題点があった。また、タイルメーカに特別注文して同じタイルを作製する方法は、少量のタイルを特別注文するのは、コストが大幅割高になる上、使っているタイルがかなり古くなった場合等には、径年劣化した周りのタイルとの調和の問題も起こりうるという問題点があった。さらに、タイルを全面的に剥離して新しいタイルに張り替えるのは、外観上の問題は解消されるが、工事に膨大なコストと時間がかかるという問題点があった。
【０００６】
本発明は、そのような問題点に鑑み、一部タイルが剥がれ落ちたり、損傷したりしたタイル張り外壁の補修を、外観を損なうことなく、低コストで施工できるようにすることをことを目的とするものである。
【課題を解決するための手段】
【０００７】
前記課題を解決するため、請求項１に記載のタイル張り外壁の補修方法は、タイル張り外壁の外部から直接見えない部分において、タイル目地を中心にして、タイルの短辺幅より径大で、タイルの厚さより深い開口を設ける工程と、タイル目地に充填されている接着材を除去して溝を形成する工程と、回転軸が前記溝の幅より小さく、径が前記タイルの短辺幅より大きい回転切削刃を前記開口から挿入し、回転軸を前記溝に沿って移動させることにより、前記タイル下側にある接着材を除去してタイルを壁本体から引き剥がす工程と、引き剥がしたタイルを用いて、タイル張り外壁の外部から直接見える、タイルが剥がれ落ちた部分や破損した部分の補修を行う工程とを具えたことを特徴とする。
【０００８】
また、請求項２に記載のタイル張り外壁の補修方法は、タイル張り外壁の外部から直接見えない部分において、タイル目地を中心にして、タイルの短辺幅より径大で、タイルの厚さより深い開口を設ける工程と、回転軸に細径の切削刃と大径の切削刃とを、後者が先端側に位置するように取り付けた回転切削刃を、前記開口から大径の切削刃が完全に入り込むまで挿入し、回転軸を前記タイル目地に沿って移動させることにより、タイル目地及び前記タイル下側にある接着材を除去してタイルを壁本体から引き剥がす工程と、引き剥がしたタイルを用いて、タイル張り外壁の外部から直接見える、タイルが剥がれ落ちた部分や破損した部分の補修を行う工程とを具えたことを特徴とする。
【発明の効果】
【０００９】
本発明のタイル張り外壁の補修方法は、次のような効果を奏する。
【００１０】
すなわち、請求項１に記載のタイル張り外壁の補修方法は、タイル張り外壁の外部から直接見えない部分において、タイル目地を中心にして、タイルの短辺幅より径大で、タイルの厚さより深い開口を設け、タイル目地に充填されている接着材を除去して溝を形成し、径が前記タイルの短辺幅より大きい回転切削刃を前記開口から挿入し、回転軸を前記溝に沿って移動させることにより、前記タイル下側にある接着材を除去してタイルを壁本体から引き剥がし、引き剥がしたタイルを用いて、外部から直接見える部分において、タイルが剥がれ落ちた部分や破損した部分の補修を行うようにした。その結果、一部タイルが剥がれ落ちたり、損傷したりしたタイル張り外壁を、周囲のタイルと同じ状態のタイルを使って補修でき、外観を損なうことなく、低コストで施工できるようになる。
【００１１】
また、請求項２に記載のタイル張り外壁の補修方法は、回転軸に細径の切削刃と大径の切削刃とを、後者が先端側に位置するように取り付けた回転切削刃を、前記開口から大径の切削刃が完全に入り込むまで挿入し、回転軸を前記タイル目地に沿って移動させることにより、タイル目地及び前記タイル下側にある接着材を除去してタイルを壁本体から引き剥がすようにしたので、タイル目地に充填されている接着材を除去して事前に溝を形成する工程が不要となって、作業効率が向上する。
【発明を実施するための最良の形態】
【００１２】
以下、本発明の実施例を図面に基づいて詳細に説明する。
【実施例１】
【００１３】
本発明のタイル張り外壁の補修方法は、建物外壁のタイルが一部剥がれ落ちたり、破損したとき、建物の外側から直接見えない部分のタイルを剥がして、建物の外部から直接見える、タイルが剥がれ落ちた部分に張り付けたり、破損したタイルと張り替えるようにした。その際、建物の外側から直接見えない部分のタイルを剥がすのは、次のようにして行う。
すなわち、図１に示すように、建物の屋上周壁の内側下部等、外側から直接見えない壁の一部タイルを、ダイアモンド刃がついた電動カッターを使って切除したり、たがね等を使って必要枚数のタイルを引き剥がす等して、タイル目地２を中心にして、タイル１の短辺幅より十分径大で、タイルの厚さより深い開口３を設ける。そして、ダイアモンド刃がついた電動カッターを使ってタイル目地２を埋めているモルタル等の接着材を除去して溝４を形成する。その際、溝４は、始端部を開口３から連続して設ける。なお、開口３の形成と溝４の形成は、どちらを先に形成してもよい。
【００１４】
そのようにして開口３と溝４が形成されたら、径が開口３より小さく、タイル１の短辺幅より大きい回転切削刃を着けた電動カッターの刃を開口３から挿入する。そして、図２に断面を示し、図３に回転切削刃を示すように、回転軸９の先に、円盤部１０の周囲にダイアモンド刃１１を設けた回転切削刃を取り付けた電動カッター８を用い、その回転切削刃を回転させながら、回転軸９を溝４に沿って移動させることにより、タイル１の下側にあるモルタル６を除去してタイル１を壁本体７から引き剥がす。
【００１５】
その際、ダイアモンド刃１１の径が、タイル１の短辺の幅より大きいため、タイルの長辺に沿って電動カッター８を移動させ、それを対向する両辺について行えば、タイル１の下側にあるモルタル６を完全に除去することができる。なお、図示したものは、回転切削刃の径を、タイル短辺の幅の半分をやや超える程度にしているが、その径をタイルの幅の２倍以上に大きくして、１回の操作で、タイル目地の両側にあるタイル下側全体のモルタルを除去できるようにしてもよい。そのようにすれば、作業効率がより向上する。また、そのようにして剥がしたタイルの痕には、色，形が似ている新たなタイルを張っておくことになるが、この部分は、建物の外側から直接見えない部分なので、外観上の問題は起きない。そのようにして、タイルを傷付けることなく、補修用のタイルを確保することができる。
【００１６】
そして、上記のようにして剥がしたタイルは、建物の外部から直接見える部分のタイル張り外壁の、タイルが剥がれ落ちた部分や破損した部分の補修を行うために用いられる。なお、剥がしたタイルには、電動カッター８によって取りきれなかったモルタルが付着しており、タイルを再利用するには、そのモルタルを取り除く必要があるが、その際、モルタルが付着しているタイルの下面を、硫酸，塩酸等の酸に漬けてモルタルを劣化させてから除去すれば容易に取り除くことができる。その場合、タイルは磁器製であるため、酸の影響はあまり受けない。
【実施例２】
【００１７】
上記実施例では、溝４を事前に形成するようにしたが、電動カッター８により、溝４を形成しながら、タイル１の下側にあるモルタル６を除去していくようにすることもできる。すなわち、図４に断面を示し、図５に回転切削刃を示すように、回転切削刃の円盤部１０の中央元部に、タイル目地２の幅よりやや小径のダイアモンド刃１２を設け、電動カッター８の回転軸９に取り付ける。
【００１８】
その回転切削刃を開口３へ挿入して、ダイアモンド刃１２を、モルタルが詰まったままのタイル目地２に当てて、タイル目地２の方向に押し付ける。その結果、ダイアモンド刃１２によりタイル目地２のモルタルを除去しながら、ダイアモンド刃１１によりタイル１の下側にあるモルタル６を除去し、タイル１を引き剥がしていくことができる。
【図面の簡単な説明】
【００１９】
【図１】第１実施例のタイル張り外壁の補修方法を説明する図である。
【図２】第１実施例のタイルを剥がしている状態を示す断面図である。
【図３】第１実施例の切削刃を示す図である。
【図４】第２実施例のタイルを剥がしている状態を示す断面図である。
【図５】第２実施例の切削刃を示す図である。
【符号の説明】
【００２０】
１…タイル
２…タイル目地
３…開口
４…溝
５…モルタル除去部
６…モルタル
７…壁本体
８…電動カッター
９…回転軸
１０…円盤部
１１，１２…ダイアモンド刃
【図１】
2005282309.tif 000003
【図２】
2005282309.tif 000004
【図３】
2005282309.tif 000005
【図４】
2005282309.tif 000006
【図５】
2005282309.tif 000007